(57)【要約】【課題】表示画面に表示された画像の一部を消去装置で消去するときに、消去すべき画像を視認することができ、消去すべき画像を確実に消去することができる消去装置を提供する。【解決手段】表示画面に表示された画像の消去すべき部分を視認可能とする視認手段と、上記表示画面に表示された画像の消去すべき領域を特定する消去領域特定手段と、を備えてなる。【選択図】図１
2012018603.tif 000002
【特許請求の範囲】
【請求項１】
表示画面に表示された画像を消去する消去装置であって、
上記表示画面に表示された画像の消去すべき部分を視認可能とする視認手段と、
上記表示画面に表示された画像の消去すべき領域を特定する消去領域特定手段と、
を備えてなることを特徴とする消去装置。
【請求項２】
上記視認手段は、消去する画像を透視し得るべく構成して視認可能とすることを特徴とする請求項１記載の消去装置。
【請求項３】
上記視認手段は、消去する画像を空洞に形成して視認可能とすることを特徴とする請求項１記載の消去装置。
【請求項４】
上記視認手段は、消去する画像を表示する画像表示部にて視認可能とすることを特徴とする請求項１記載の消去装置。  
【請求項５】
上記消去装置は、表示画面に表示された消去すべき画像を読み取ることができる撮像手段を有し、前記撮像手段にて読み取られた消去すべき画像を前記画像表示部及び前記表示画面のサブ表示画面の少なくとも一方に表示することを特徴とする請求項４記載の消去装置。
【請求項６】
上記視認手段にて視認される画像の視認面積を変更する変更手段を備えてなることを特徴とする請求項１から請求項５のいずれかひとつに記載の消去装置。
【請求項７】
上記消去装置には、消去する画像を視認可能に構成された取手を備えてなることを特徴とする請求項１から請求項５のいずれかひとつに記載の消去装置。
【請求項８】
画像を表示する表示画面を備えた表示装置と、
請求項１から請求項６のいずれかひとつに記載の消去措置と、
前記表示装置の表示画面上に配置した前記消去装置の位置を検出する位置検出装置と、
前記位置検出装置の入力を信号処理して前記表示画面に画像を表示若しくは表示画面に表示された画像を消去する制御装置と、
を備えていることを特徴とする表示システム。
【請求項９】
上記制御装置は、前記消去装置の座標位置が前記位置検出装置で検出して、消去すべき領域の画像を前記表示画面のサブ表示画面に表示することを特徴とする請求項８記載の表示システム。
【請求項１０】
表示画面に表示された画像を消去する消去方法であって、
上記表示画面に表示された画像を消去すべき部分を視認可能とし、
前記視認可能とした画像を消去する消去方法。
【発明の詳細な説明】
【技術分野】
【０００１】
本発明は、表示画面に表示された文字、図形、記号等の画像を消去する消去装置、消去方法及び該消去装置を備えた表示システムに関する。
【背景技術】
【０００２】
従来の表示システム、例えば、タッチパネルを利用した表示システムとして電子白板が提案されている（特許文献１）。
【０００３】
特許文献１に記載の電子白板は、図１２に示すように、ホワイトボード１００の平板面上に光を照射し、該光の反射光に基づいて平板面上での位置座標を入力する座標入力装置と、光を入射方向に反射する反射部材で形成される部位１０２を有する指示器１０５及び消去指示器（消去装置）１０１と、平板面上に光を照射する光源部並びに指示器１０５からの反射光を受光する受光部を有する光学ユニット１０３と、光学ユニット１０３の受光部により受光された反射光に基づいて平板面上での指示器１０５の位置座標を算定する処理部１０４と、を備えて構成してなるものである。
【先行技術文献】
【特許文献】
【０００４】
【特許文献１】特開２００１−２４３００３号公報
【発明の概要】
【発明が解決しようとする課題】
【０００５】
しかしながら、特許文献１に記載の電子白板は、ホワイトボード１００に表示された文字や図形等の描画内容（画像）を消去指示器１０１で消去するときに、ホワイトボード１００に表示された消去すべき画像の上に消去指示器１０１を置く（位置させる）ことから、画像を消去指示器１０１で覆ってしまい画像を視認することができず、本来消去したくない箇所まで消去してしまうおそれがあり、従って、消去すべき画像を確実に消去することができないという課題がある。
【０００６】
本発明は、上記の課題を解決するためになされたものであり、表示画面（表示部）に表示された画像の消去すべき部分を視認可能とし、消去すべき画像を正確に視認して誤消去を確実に防止することができる消去装置、消去方法及びその消去装置を備えた表示システムを提供することにある。
【課題を解決するための手段】
【０００７】
上記の課題を解決するために、本発明の消去装置は、表示画面に表示された文字、図形、記号等の画像を消去する消去装置であって、上記表示画面に表示された画像の消去すべき部分を視認可能とする視認手段と、上記表示画面に表示された画像の消去すべき領域を特定する消去領域特定手段とを備えてなる構成である。
【０００８】
また、本発明の消去装置は、上記視認手段が、消去する画像を透視し得るべく構成して視認可能とする構成である。
【０００９】
そして、本発明の消去装置は、上記視認手段が、消去する画像を空洞に形成して視認可能とする構成である。
【００１０】
さらに、本発明の消去装置は、上記視認手段が、消去する画像を表示する画像表示部にて視認可能とする構成である。
【００１１】
さらにまた、本発明の消去装置は、上記画像表示部が、消去すべき画像を読み取ることができる撮像手段を有し、前記撮像手段にて読み取られた消去すべき画像を画像表示部及び表示画面のサブ表示画面の少なくとも一方に表示する構成である。
【００１２】
その上、本発明の消去装置は、上記視認手段にて視認される画像の視認面積を変更する変更手段を備えてなる構成である。
【００１３】
また、本発明の消去装置には、消去する画像を視認可能に構成された取手を備えてなる構成である。
【００１４】
そして、本発明の表示システムは、表示装置、位置検出装置、制御装置、消去装置を備えてなる構成であり、前記制御装置は、前記消去装置の座標位置が前記位置検出装置で検出され、消去すべき画像を表示画面のサブ表示画面に表示する構成である。
【００１５】
さらにまた、本発明の消去方法は、上記表示画面に表示された画像の消去すべき部分を視認可能とし、上記視認可能とした画像を消去する方法である。
【発明の効果】
【００１６】
本発明は、上記のような構成であるから、表示画面に表示された画像の消去すべき部分（消去すべき部分）を視認して正確に消去することができ、誤消去を確実に防止することができる。
【図面の簡単な説明】
【００１７】
【図１】本発明の実施の形態を示す消去装置を備えた表示システムの概略説明図である。
【図２】図１の表示システムの機能を示す概略機能ブロック説明図である。
【図３】図１の光学式タッチパネルのペン入力モード時の動作説明図である。
【図４】図１の光学式タッチパネルの消去モード時の動作説明図である。
【図５】図１の光学式タッチパネルの動作説明図である。
【図６】図１の光学式タッチパネルの動作フローである。
【図７】本発明の実施の形態を示す消去装置の消去体の実施例１を示す概略説明図である。
【図８】本発明の実施の形態を示す消去装置の消去体の実施例２を示す概略説明図である。
【図９】本発明の実施の形態を示す消去装置の消去体の実施例３を示す概略説明図である。
【図１０】本発明の実施の形態を示す消去装置の消去体の実施例４を示す概略説明図である。
【図１１】本発明の実施の形態を示す消去装置の消去体に取手を備えた構成を示す概略説明図である。
【図１２】従来の表示システムの概略説明図である。
【発明を実施するための形態】
【実施例１】
【００１８】
以下、本発明の消去装置の実施の形態を、消去装置を備えた表示システムに実施した場合について図１から図７に基づいて説明する。
【００１９】
本発明の消去装置を備えた表示システムは、図１の概略説明図に示すように、電子白板程度の大きさの例えば情報表示用大型液晶パネルで構成し、画像としての文字、図形、記号等の描画内容を表示する表示画面１を備えた表示装置２と、表示装置２の表示画面１に接触（タッチ）することにより表示画面１に画像を表示若しくは表示した画像を消去する入力検出用タッチパネル方式の一つである光学式タッチパネルを採用した入力部３（位置検出装置）と、入力部３の入力を信号処理して表示装置２の表示画面１に画像を表示若しくは表示画面１に表示された画像を消去する制御を行う制御装置４と、表示画面１に接触させて座標情報を前記入力部３に検出させる入力ペン５と、表示画面１に表示された画像の消去箇所に位置させて消去箇所の画像を視認手段にて視認し、消去すべき領域を特定する消去領域特定手段としての消去体６とから構成されたものである。
【００２０】
なお、上記構成において、以下の実施例の説明で詳細に説明するが、表示画面１に表示された画像の消去箇所に位置させて消去箇所を特定する消去領域特定手段は、表示画面１に表示された画像の消去すべき部分を視認可能とする視認手段とともに消去装置を構成するものであり、また、視認手段は、消去すべき画像を透視し得るべく構成し、または、消去すべき画像を透視するための空洞を形成し、若しくは、消去すべき画像を表示する画像表示部２１にて表示して視認可能に構成するものであり、また、視認手段にて視認される画像の視認面積を変更する変更手段を備えてなるものである。そして、画像表示部２１は、消去装置の消去体６に表示画面１を構成し若しくは表示装置２の表示画面１にサブ表示画面２２を構成して表示するものである。さらに、画像表示部２１には、消去すべき画像を読み取ることができる撮像手段（図示せず）を備えてなるものである。
【００２１】
次に、消去装置を備えた表示システムの各ブロックの機能を図２の概略機能ブロック説明図とともに説明する。
【００２２】
表示装置２には、表示画面１があり、表示画面１は、画像を表示する表示デバイスとしての機能と、表示画面１に対するユーザの入力操作を受け付ける入力デバイスとしての機能とを有している。表示画面１は、制御装置４の制御により画像を表示するものである。また、表示画面１は、表示画面１にタッチされることにより受け付けた入力操作を操作データとして制御装置４に送信するものであり、例えば、電磁誘導方式、赤外線方式、光学方式等のタッチパネルを適用することができる。
【００２３】
本発明の実施の形態においては図３と図４に示す光学方式のタッチパネルを用いている。また、光学方式のタッチパネルとして、例えば、ユーザの入力操作を画像で検知する光センサ内蔵液晶表示パネル等を適用することもでき、表示画面１は、画像を表示する表示デバイスとしての機能及び入力デバイスとしての機能を有しているものであればよく、これらの例に限られない。
【００２４】
そして、入力部３は、入力座標検出部７と、入力座標信号変換部８と、入力座標情報送信部９と、で構成され、表示画面１に存在する物体の位置を検出するものである(図６、s２０１)。
【００２５】
入力座標検出部７は、表示画面１にユーザがタッチすると座標情報が特定される。入力座標信号変換部８は、入力座標検出部７で特定された座標情報をコンピュータへ送信するための方式、例えばＵＳＢ信号（登録商標）に変換する。入力座標情報送信部９は、入力座標信号変換部８で変換された信号を制御装置４の入力座標情報受信部１０のパソコンに送信する（s２０２）。なお、入力部３は、座標によって位置を検出していることを行なった場合について説明したが、これに限ることがなく、例えば、角度信号に基づく座標位置の検出方法、光量信号に基づく座標位置の検出方式や赤外線距離センサに基づく検出方式も実施可能である。
【００２６】
上記制御装置４は、入力座標情報受信部１０と、入力面積算出部１１と、動作モード判定部１２と、表示用メモリ領域部１３と、映像信号生成部１４と、映像信号送信部１５と、で構成されている。
【００２７】
入力座標情報受信部１０は、入力部３の入力座標情報送信部９から送信された座標情報を受信する。入力面積算出部１１は、受信した座標情報を元に面積を算出する（s２０３）。動作モード判定部１２は、入力面積算出部１１の入力面積が閾値以下の場合はペンにより入力されていると判断してペン入力モードに自動設定され（s２０４）、入力面積算出部１１の入力面積が閾値を越えた場合は消去装置で消去されていると判断して消去モードに自動設定される（s２０５）。表示用メモリ領域１３は、動作モード判定部１２で判定された動作モードに基づき、消去モードの場合は、閾値を越えた入力面積で表示画面に表示される画像情報が記録（ペン画像情報を消去）され（s２０７）、ペン入力モードの場合は、閾値以下の入力面積で表示画面１に表示される画像情報が記録（ペン画像情報を追加）される（s２０６）。画像信号生成部１４は、表示用メモリ領域１３に記録された画像情報に基づき、表示画面１に表示する画像信号を生成する（s２０８、s２０９）。画像信号送信部１５は、画像信号生成部１４で生成された画像信号を、例えば、ＤＶＩ（Ｄｉｇｉｔａｌ  Ｖｉｓｕａｌ  Ｉｎｔｅｒｆａｃｅ）方式で表示装置２に送信する。
【００２８】
なお、上記説明においては、制御装置４を接続線Ｕにて表示装置２に接続した場合について説明したが、接続線Ｕを用いることなく制御装置４を表示装置２に内蔵する構成にしてもよく、制御装置４及び入力部３は、表示装置２の表示画面１において制御装置４及び入力部３として機能すればよい。
【００２９】
上記入力部３の光学式タッチパネルは、図３と図４に示すように表示装置２の外周部２ａのＹ軸方向（垂直方向）及び２ｂのＸ軸方向（水平方向）に等間隔で、ＬＥＤよりなる発光素子２ｃ、２ｄ及びフォトトランジスタよりなる受光素子２e、２ｆで構成されるフォトカプラを複数配設し、フォトカプラの受光素子２e、２ｆで検出される対となる発光素子２ｃ、２ｄからの光量が一定の閾値以下となったとき、対となるフォトカプラの発光素子２ｃ、２ｄとの直線上をユーザによりタッチ（接触）されたと判定し、フォトカプラによりＸ軸方向（水平方向）及びＹ軸方向（垂直方向）のタッチ座標を検出することによりユーザによりタッチされている位置を特定する構成である（s２０１）。
【００３０】
上記のように構成してなる光学式のタッチパネルの位置検出の動作について図５とともに説明すると、入力部３の光学式のタッチパネルで、図５（a）に示すように、発光素子２ｃ、２ｄから受光素子２e、２ｆに到達する光量Ａが１００％である場合は、表示画面１上には、何もタッチされた面積はないので、表示画面１の位置は検出されない。また、図５(ｂ)に示すように、ユーザが表示画面１上に消去体６やペン５でタッチしても、発光素子２ｃ、２ｄから受光素子２e、２ｆに到達する光量が約３０％〜１００％である場合は、図５（a）と同様に、表示画面１の位置は検出されない。そして、図５(ｃ)に示すように、発光素子２ｃ、２ｄから受光素子２e、２ｆに到達する光量Ａが約３０％未満となるように、消去体６やペン５に、光が屈折するように角度Ｂをつけて、光の反射や屈折を利用して発光素子２ｃ、２ｄから受光素子２e、２ｆに到達する光量Ａを削減することで、位置を検出することができる。また、角度Ｂをつけなくても、光量Ａを削減する遮光手段を用いても位置を検出することができる。
【００３１】
なお、上記入力部３の光学式のタッチパネルは、タッチされている座標を連続的にサンプリングすることにより入力ペン５等による入力操作を検出し（s２０１）、検出された座標情報を制御装置４に伝達し（s２０２）、表示画面１の画像表示に反映させるもの（s２０８、s２０９）であり、白板機能を実現させる周知のパソコン上のアプリケーションを採用するものであり、また、周知のパソコン上のアプリケーションの拡張機能として、図３に示すようにタッチされた面積３ａが一定以下の場合は入力ペン５等による入力モード（s２０４）と判断し、図４に示すようにタッチされた面積３ｂが一定以上の場合は消去モード（s２０５）と判断し、消去モードの際は入力モードで入力された画像（s２０６）を消去することができるものである（s２０７）。
【００３２】
図７は、本発明の消去装置を備えた表示システムの消去体６ａの実施例１の概略説明図である。
【００３３】
図７において、表示画面１に表示された画像の消去箇所に位置させて消去箇所を特定する消去領域特定手段は、表示画面１に表示された画像の消去すべき部分を視認可能とする視認手段とともに消去装置を構成するものであり、また、視認手段は、消去すべき画像を透視し得るべく構成されている。消去体６ａは、表示画面１に表示された画像の消去すべき部分を視認可能とするように構成されており、ユーザが表示画面１に表示された画像の消去すべき部分を目でみることができるように透視可能な部材１７、例えばガラスやプラスチックなどの透明な部材１７で形成されている。また、消去体６ａは可視光Ｃを透過することができる材料で形成され、消去体６ａの外周囲は、フォトトランジスタのピーク感度となる赤外線領域をカットする赤外線フィルタ１６（ＩＲフィルタ）が配置されている。
【００３４】
なお、この赤外線フィルタ１６をカットする波長は８００nm以上であることが好ましい。また、この赤外線フィルタ１６は、発光素子２ｃ、２ｄから照射された光が受光素子２e、２ｆに照射するのを遮光するように消去体６ａに配置されており、このように配置すれば、消去体６ａが表示画面１にタッチしている場合にのみ光を遮光させることができるので、表示画面１に消去体６がタッチしたか否かを受光素子２e、２ｆに確実に認識させることが可能となる。そして、赤外線フィルタ１６を消去体６ａと一体化した場合を示しているが、赤外線フィルタ１６をマグネット、吸盤、接着剤などの取着体にて赤外線フィルタ１６を消去体６ａに取り付けてもよい。
【００３５】
次に、上記構成の消去体６ａの消去動作について説明する。
【００３６】
まず、ユーザが、表示装置２の表示画面１に表示されている画像を消去する場合は、消去体６ａを消去すべき画像の位置に位置させ（もっていく）、そして、ユーザは消去すべき画像を、消去体６ａの視認できる箇所（透明な部分）を通して目で確認し、消去すべき画像と判断すると、消去体６ａにて表示画面１に表示されている消去すべき画像にタッチする。
【００３７】
すると、消去体６ａに配置されている赤外線フィルタ１６で、表示画面１のフォトカプラの受光素子２e、２ｆで検出される対となる発光素子２ｃ、２ｄからの光量が遮光され、遮光が一定の閾値以下となったとき、対となるフォトカプラの発光素子２ｃ、２ｄとの直線上にある表示画面１がユーザによりタッチ（接触）されたと判定し、入力部３の入力座標検出部７で、タッチされた座標が検出される（s２０１）。
【００３８】
検出された座標情報は、入力座標検出部７でコンピュータへ送信するための方式、例えばＵＳＢ信号に変換され、入力座標信号変換部８で変換された信号は、入力座標情報送信部９で、制御装置４の入力座標情報受信部１０のコンピュータに送信される（s２０２）。入力座標情報受信部１０は、入力部３の入力座標情報送信部９で送信された座標情報を受信する。
【００３９】
入力面積算出部１１は入力座標情報送信部９の入力座標を元に、入力されている面積を算出し、消去体６ａは、入力面積算出部１１の入力面積が閾値を超えたと判定されると（s２０３）、動作モード判定部１２で、消去装置モードに自動設定され（s２０５）、動作モード判定部１２で判定された動作モードに基づき、表示用メモリ領域は入力面積の映像を消去する（s２０７）。
【００４０】
映像信号生成部１４は、表示用メモリ領域から表示手段により表示された画像信号を生成し、映像信号送信部１５は、映像信号生成部１４で生成された映像信号を、例えばＤＶＩ方式で表示部に送信する。そして表示部１に表示されていた画像が消去される（s２０９）。
【実施例２】
【００４１】
図８は、本発明の実施の形態を示す消去装置を備えた表示システムの消去体６ｂの実施例２（他の実施の形態を示す）の概略説明図である。
【００４２】
表示画面１に表示された画像の消去箇所に位置させて消去箇所を特定する消去領域特定手段は、表示画面１に表示された画像の消去すべき部分を視認可能とする視認手段とともに消去装置を構成するものであり、また、視認手段は、消去すべき画像を透視し得るべく構成し、しかも、視認手段にて視認される画像の視認面積を変更する変更手段を備えてなるものである。消去体６ｂは、表示画面１に表示された画像の消去すべき部分を視認可能とするように構成されており、ユーザが表示画面１に表示された画像の消去すべき部分を目で直接みることができるように空洞１８が形成されている。
【００４３】
消去体６ｂの画像を視認できる部分は、空洞１８になっており、実施例１や従来の消去体のように視認する部分に部材がないので、部材を介することなく、直接表示画面１に表示された画像の消去すべき部分を視認することができ、消去体６ｂの視認する部分に部材があるものに比べて視認する画像がぼやけることはない。なおこの場合、画像を視認する部分が空洞１８であることから、部材のコストを削減することができる。
【００４４】
なお、消去体６ｂの空洞１８を形成している外周部の枠には、実施例１と同様に、フォトトランジスタのピーク感度となる赤外線領域をカットする赤外線フィルタ１６（ＩＲフィルタ）が配置されており、赤外線領域をカットする赤外線フィルタ１６の機能の説明は省略する。また、消去体６ｂの空洞１８を形成している外周部の枠は、拡大縮小及び／若しくは変形可能に形成し、自由に大きさ及び／若しくは形状を変更可能に形成してもよい。このような形成であると、表示画面１に表示されている画像をユーザが消去体６ｂを通して視認するときに、消去体６ｂで視認する画像を、広くしたり、または狭くしたり、形状を変えたりすることからができるので、ユーザが自由に消去体６ｂで視認できる面積及び／若しくは形状を変更することができ、従って、ユーザが自由に消去体６ｂで消去すべき面積及び／若しくは形状を変更することができ、消去をより確実にしかも精確に効率よく行うことができる。
【００４５】
そして、図８の本発明の実施の形態を示す消去装置を備えた表示システムの消去体の実施例２の消去動作は、上記実施例１の消去体６ａの消去動作と基本的に同一であるので説明は省略する。
【実施例３】
【００４６】
図９は、本発明の実施の形態を示す消去装置を備えた表示システムの消去体６ｃの実施例３（更なる他の実施の形態を示す）の概略説明図である。
【００４７】
表示画面１に表示された画像の消去箇所に位置させて消去箇所を特定する消去領域特定手段は、表示画面１に表示された画像の消去すべき部分を視認可能とする視認手段とともに消去装置４を構成するものであり、また、視認手段は、消去すべき画像を透視し得るべく構成し、しかも、視認手段にて視認される画像の視認面積を変更する変更手段を備えてなるものである。
【００４８】
消去体６ｃは、表示画面１に表示された画像の消去すべき部分を視認可能とするように上記実施例１と同様にユーザが表示画面１に表示された画像の消去すべき部分を目でみることができるように透視可能な部材、例えばガラスやプラスチックなどの透明な部材で形成されており、また、表示画面１に表示された画像を視認する面積を変更することができるとともに消去すべき面積を変更することができるように、消去体６ｃを第１消去部１９及び第２消去部２０にて形成し、第１消去部１９に第２消去部２０を出入可能にして第１消去部１９に第１消去部１９から第２消去部２０を出射方向に付勢力を付与するための伸縮可能なバネ（図示せず）が設けられている（内装されている）。そして、消去体６ｃの第２消去部２０に圧力を加えることにより第２消去部２０が第１消去部１９の内部に格納され、消去体の面積が図８（a）の第２消去部２０の面積Ｓ２から、図８（ｂ）の第１消去部１９と第２消去部２０の両方（和）の面積Ｓ１に変化する。従って、表示画面１に表示された画像の消去すべき部分の大きさによって、消去体６ｃの面積を変更することができる。
【００４９】
例えば、表示画面１に表示された画像の消去すべき部分が、消去体６ｃに圧力を加える前の面積Ｓ２よりも小さい場合は、消去体６ｃに圧力を加える前の面積Ｓ２で画像を十分に視認することができ、消去したくない画像を消去することなく確実に消去したい画像を視認して消去動作をすることができる。一方、表示画面１に表示された画像の消去すべき部分が、消去体６ｃに圧力を加える前の面積Ｓ２よりも大きい場合は、消去体６ｃに圧力をかけた後の面積Ｓ１で画像を視認することができるので、消去体６ｃに圧力をかける前よりも視認面積が広範囲になるので、圧力を加える前の面積Ｓ２に比べて、消去動作の手間が省ける。
【００５０】
なお、消去体６ｃには、実施例１若しく実施例２と同様のフォトトランジスタのピーク感度となる赤外線領域をカットする赤外線フィルタ（フィルタ）が配置されており、赤外線領域をカットする赤外線フィルタの機能の説明は省略する。
【００５１】
また、図９の本発明の実施の形態を示す消去装置を備えた表示システムの消去体の実施例３の消去動作は、上記実施例１若しくは実施例２の消去体の消去動作と基本的に同一であるので説明は省略する。
【実施例４】
【００５２】
図１０は、本発明の実施の形態を示す消去装置を備えた表示システムのサブ表示画面と消去体６ｄの画像表示部の実施例４（更なるもう一つ他の実施の形態を示す）の概略説明図である。
【００５３】
表示画面１に表示された画像の消去箇所に位置させて消去箇所を特定する消去領域特定手段は、表示画面１に表示された画像の消去すべき部分を視認可能とする視認手段とともに消去装置を構成するものであり、また、視認手段は、消去すべき画像を表示する画像表示部にて表示して視認可能に構成されている。
【００５４】
消去すべき画像を表示する画像表示部２１を消去体６ｄに構成するとともに、表示装置２の表示画面１の一部に消去すべき画像を表示する画像表示部２１をサブ表示画面２２として表示し、消去体６ｄの画像表示部２１及び／若しくは表示装置２の表示画面１のサブ表示画面２２に表示して視認可能に構成するものである。
【００５５】
ユーザは、消去体６ｄを表示装置２の表示画面１の消去すべき画像の位置に位置させ（もっていく）、そして、ユーザは消去すべき画像を、消去体６ｄの画像表示部２１及び／若しくはサブ表示画面２２の表示により視認することができる。表示方法として、消去体６ｄに備わっている撮像手段（図示せず）、例えば、ＣＣＤカメラ等の撮像装置で消去すべき画像を読み取り、前記撮像手段にて読み取られた消去すべき画像を画像表示部２１に表示させる。
【００５６】
そして、画像表示部２１に表示された消去すべき画像をユーザは目で確認し、ユーザが消去すべき画像と判断すると、ユーザは、消去体６ｄにて表示画面１に表示されている消去すべき画像にタッチする。該ユーザが消去体６ｄを表示画面１に表示されている消去すべき画像にタッチし、表示画面１が消去体６ｄによりタッチ（接触）されたと判定すると、入力部３の入力座標検出部７で、タッチされた座標を検出して（s２０１）、検出された座標は制御装置４に送信され、消去すべき画像をサブ表示画面２２に表示する。また、実施例１から３の消去体が、表示画面にタッチ（接触）することにより、入力部３の入力座標検出部７で、タッチされた座標を検出して（s２０１）、検出された座標は制御装置４に送信され、消去すべき画像をサブ表示画面２２に表示することもできる。
【００５７】
そして、制御装置４は、表示画面１、画像表示部２１若しくは/及びサブ表示画面２２に表示されている消去すべき画像を、周知の画像処理技術にて画像処理を行い表示画面１から消去すべき画像を消去する。
【００５８】
上記の場合、表示画面１に表示された画像を消去する時、消去体６ｄの画像表示部２１及び／若しくは表示装置２の表示画面１のサブ表示画面２２に消去する画像を表示することができる。また、同時にユーザが消去体６ｄの画像表示部２１で消去したい画像が、サブ表示画面２２にも表示されるので、消去すべき画像を画像表示部２１及びサブ表示画面２２で確認することができ、消去すべき画像を二度確認することができるので誤消去を確実に防止することができる。
【００５９】
上記実施例４においては、表示画面１に表示されている消去すべき画像にタッチすることにより消去すべき画像が消去される場合について説明したが、消去体６ｄに画像を消去するシステム、例えば消去モードボタン（図示せず）を構成することにより、表示画面１にタッチしなくても表示画面１に表示された画像を消去することができる。
【００６０】
なお、上記実施例４においては、表示画面１に表示されている消去すべき画像にタッチする場合について説明したが、サブ表示画面２２に表示されている消去すべき画像にタッチして消去することもできる。
【００６１】
また、上記実施例４においては、消去すべき画像を表示する画像表示部２１を消去体６ｄ及び表示装置２の表示画面１のサブ表示画面２２に表示して視認可能に構成したが、消去すべき画像を表示する画像表示部２１を消去体６若しくは表示画面１のサブ表示画面２２のどちらか一方に表示する構成にしてもよい。
【００６２】
さらに、表示方法として、消去体６ｄに撮像手段を設けて消去すべき画像を読み取り、読み取られた消去すべき画像を画像表示部２１に表示させる構成にしたが、消去体６ｄに撮像手段がなくても、消去体６ｄが表示画面１に接触したことにより消去体の座標位置が位置検出装置３で検出して、例えば、図示しない無線装置による画像通信等を使用して消去すべき画像を画像表示部２１に送信して表示する構成にしてもよい。
【００６３】
さらにまた、サブ表示画面２２は、表示画面１上の所定位置に固定して構成した場合について説明したが、必要に応じて表示画面１上を移動可能に構成してもよく、例えば、ユーザが表示画面１の右側にいたら、サブ表示画面２２は右側に表示され、ユーザが表示画面１の左側にいたら、サブ表示画面２２は左側に表示され、ユーザの好みの場所にサブ表示画面２２を移動表示する構成にしても良い。
【００６４】
図１１は、本発明の実施の形態を示す消去装置の消去体に取手を備えた構成を示す概略説明図である。
【００６５】
上記実施例１から４に記載の消去装置の消去体において、消去体６を表示画面１上に移動させて消去すべき画像に位置させる場合は、消去体６をユーザが手で保持して移動させる必要があり、そのために消去体６の消去すべき画像を視認可能とする部分（消去体の透明な部分１７、１９、２０、消去体の空洞１８）をユーザの手で覆って（遮って）しまい、消去したい画像を確実に確認することができないという問題を惹起するが、消去体６を保持して移動可能とする取手２３を備える構成にすることにより解決することができる。
【００６６】
取手２３は、ユーザが消去体６で視認する画像を著しく遮らない位置に設けることが好ましい。そのために、取手２３を消去体６の消去すべき画像を視認可能とする部分より離隔した位置２３ａに移動可能に枢支（回動）ピン２４、ヒンジ２４等を介して装着する構成にしておく。そして、枢支（回動）ピン２４、ヒンジ２４等を介して取手２３を消去体６に装着する構成にすることにより、消去体６の不使用時に、消去体６にある取手２３がヒンジ２４を軸に回転して折りたたまれると取手２３は２３aのように消去体６の上に置かれるようになり、不使用時の消去体６の収納をコンパクトに行うことができる。
【符号の説明】
【００６７】
１  表示画面（表示部）
２  表示装置
３  入力部（位置検出装置）
４  制御装置
５  入力ペン
６  消去体（消去装置）
１６  赤外線フィルタ（消去領域特定手段）
１７、１９、２０  透視可能な部材（視認手段）
１８  空洞（視認手段）
２１  画像表示部（視認手段）
２２  サブ表示画面
２３  取手
【図１】
2012018603.tif 000003
【図２】
2012018603.tif 000004
【図３】
2012018603.tif 000005
【図４】
2012018603.tif 000006
【図５】
2012018603.tif 000007
【図６】
2012018603.tif 000008
【図７】
2012018603.tif 000009
【図８】
2012018603.tif 000010
【図９】
2012018603.tif 000011
【図１０】
2012018603.tif 000012
【図１１】
2012018603.tif 000013
【図１２】
2012018603.tif 000014